(57)【要約】【課題】集磁力が高く感度が良好であるとともに、近傍に金属ケースや金属部品が存在しても、渦電流損失が生じにくいアンテナ装置およびそのようなアンテナ装置を内蔵した電波受信装置を提供する。【解決手段】所望の機能を有する部品を内蔵した樹脂モールド体１０の外周に沿ってアンテナコア部材３１を設けている。このアンテナコア部材３１は、当該アンテナコア部材３１と直交する方向にアンテナコイル３２が巻回されている。このような構成のアンテナ装置は、収納空間２１を有する機器本体２内に配置して電波受信装置を構成している。【選択図】図３
2009296296.tif 000002
【特許請求の範囲】
【請求項１】
磁性部を備えた機器本体と、
この機器本体内に配置された機器モジュール部材と、
この機器モジュール部材の外周に沿って設けられたアンテナコア部材と、
このアンテナコア部材に当該アンテナコア部材と直交する方向で巻回されたアンテナコイルと、
を備えていることを特徴とするアンテナ装置。
【請求項２】
所望の機能を有する部品を内蔵した樹脂モールド体と、
この樹脂モールド体の外周に沿って設けられたアンテナコア部材と、
このアンテナコア部材に当該アンテナコア部材と直交する方向で巻回されたアンテナコイルと、
を備えていることを特徴とするアンテナ装置。
【請求項３】
前記アンテナコイルは、前記アンテナコア部材に巻回された複数のアンテナコイルを備えていることを特徴とする請求項２に記載のアンテナ装置。
【請求項４】
前記複数のアンテナコイルは、それぞれ巻き数が異なるアンテナコイルであることを特徴とする請求項３に記載のアンテナ装置。
【請求項５】
前記樹脂モールド体は、全体もしくは一部に磁性体が混入された部位を有することを特徴とする請求項２〜請求項４のいずれかに記載のアンテナ装置。
【請求項６】
前記樹脂モールド体の表面または裏面もしくは表面および裏面には、前記アンテナコア部材に磁気的に結合された磁性シート体が接合されていることを特徴とする請求項２〜請求項５のいずれかに記載のアンテナ装置。
【請求項７】
前記アンテナコア部材は、前記樹脂モールド体の外周全体にわたって連続するように形成されていることを特徴とする請求項２〜請求項６のいずれかに記載のアンテナ装置。
【請求項８】
前記アンテナコア部材は、シート状の磁性体を重ねた積層構造を有するように形成されていることを特徴とする請求項２〜請求項７のいずれかに記載のアンテナ装置。
【請求項９】
請求項２〜請求項８のいずれかに記載のアンテナ装置と、
このアンテナ装置が配置された収納空間を有する電波受信機器本体と、
を備えたことを特徴とする電波受信装置。
【請求項１０】
全体として帯状をなすアンテナコア部材を形成する工程と、
この工程により形成された前記アンテナコア部材の一部に当該アンテナコア部材と直交する方向にコイルを巻回する工程と、
この工程により前記コイルが巻回された前記アンテナコア部材を、所望の機能を有する部品を内蔵した樹脂モールド体の外周に沿って周回させ、前記アンテナコア部材と樹脂モールド体とを一体的に結合してアンテナ装置を製造する工程と、
を備えていることを特徴とするアンテナ装置の製造方法。
【発明の詳細な説明】
【技術分野】
【０００１】
本発明は、アンテナ装置、電波受信装置およびアンテナの装置の製造方法に関する。
【背景技術】
【０００２】
従来、内蔵アンテナを有し時刻情報を含む標準電波を受信して時刻修正を行う電波時計が提供されている。電波時計やラジオ、携帯電話などのアンテナを内蔵した電波受信装置に搭載されるアンテナにおいては、電波受信装置のケースが金属で形成されている場合、アンテナの周囲の金属ケースがシールドとして機能してしまい、受信感度が低下するおそれがある。
【０００３】
近年においては、受信感度を高めるために、コアのコイルが巻かれた部分よりも、コイルが巻かれていないコアの両端部に電波捕捉部を設けて、より多くの磁束をコイルの内側に通過させるアンテナが開発されている（例えば特許文献１参照）。
【特許文献１】特開２００４−２３５７０１号公報
【発明の開示】
【発明が解決しようとする課題】
【０００４】
特許文献１に記載されている発明は、腕時計型の電波時計（以下、電波腕時計と称する）において、ケースの内周面に沿って円弧状に形成された磁性材からなる電波捕捉部を設け、棒状のアンテナのコアの両端を電波捕捉部に接合させるようにしたものである。しかしながら、上述のように棒状のアンテナを内蔵した電波受信装置においては、アンテナの収納スペースのサイズが上限となってしまい、それ以上の受信感度を確保することは困難であった。
また、ケースが金属で形成されている電波受信装置においては、ケース内部に収納されたアンテナのコイルが電波を受信することにより発生した磁束が金属ケースや金属部品を通過することによって、渦電流損失が生じ易いという課題がある。
【０００５】
この発明は、上記の課題に着目してなされたもので、集磁力が高く受信感度の良好なアンテナ装置およびそのようなアンテナ装置を内蔵した電波受信装置並びにアンテナ装置の製造方法を提供することを目的とする。
また、本発明の他の目的は、近傍に金属ケースや金属部品が存在しても、渦電流損失が生じにくいアンテナ装置およびそのようなアンテナ装置を内蔵した電波受信装置並びにアンテナ装置の製造方法を提供することにある。
【課題を解決するための手段】
【０００６】
上記目的を達成するため、本願請求項１に記載の発明に係るアンテナ装置は、
磁性部を備えた機器本体と、
この機器本体内に配置された機器モジュール部材と、
この機器モジュール部材の外周に沿って設けられたアンテナコア部材と、
このアンテナコア部材に当該アンテナコア部材と直交する方向で巻回されたアンテナコイルと、
を備えていることを特徴としている。
【０００７】
請求項２に記載の発明に係るアンテナ装置は、
所望の機能を有する部品を内蔵した樹脂モールド体と、
この樹脂モールド体の外周に沿って設けられたアンテナコア部材と、
このアンテナコア部材に当該アンテナコア部材と直交する方向で巻回されたアンテナコイルと、
を備えていることを特徴としている。
【０００８】
請求項３に記載の発明は、請求項２に記載のアンテナ装置において、
前記アンテナコイルは、前記アンテナコア部材に巻回された複数のアンテナコイルを備えていることを特徴としている。
【０００９】
請求項４に記載の発明は、請求項３に記載のアンテナ装置において、
前記複数のアンテナコイルは、それぞれ巻き数が異なるアンテナコイルであることを特徴としている。
【００１０】
請求項５に記載の発明は、請求項２〜請求項４のいずれかに記載のアンテナ装置において、
前記樹脂モールド体は、全体もしくは一部に磁性体が混入された部位を有することを特徴としている。
【００１１】
請求項６に記載の発明は、請求項２〜請求項５のいずれかに記載のアンテナ装置において、
前記樹脂モールド体の表面または裏面もしくは表面および裏面には、前記アンテナコア部材に磁気的に結合された磁性シート体が接合されていることを特徴としている。
【００１２】
請求項７に記載の発明は、請求項２〜請求項６のいずれかに記載のアンテナ装置において、
前記アンテナコア部材は、前記樹脂モールド体の外周全体にわたって連続するように形成されていることを特徴としている。
【００１３】
請求項８に記載の発明は、請求項２〜請求項７のいずれかに記載のアンテナ装置において、
前記アンテナコア部材は、シート状の磁性体を重ねた積層構造を有するように形成されていることを特徴としている。
【００１４】
請求項９に記載の発明に係る電波受信装置は、
請求項２〜請求項８のいずれかに記載のアンテナ装置と、
このアンテナ装置が配置された収納空間を有する電波受信機器本体と、
を備えていることを特徴としている。
【００１５】
請求項１０に記載の発明に係るアンテナ装置の製造方法は、
全体として帯状をなすアンテナコア部材を形成する工程と、
この工程により形成された前記アンテナコア部材の一部に当該アンテナコア部材と直交する方向にコイルを巻回する工程と、
この工程により前記コイルが巻回された前記アンテナコア部材を、所望の機能を有する部品を内蔵した樹脂モールド体の外周に沿って周回させ、前記アンテナコア部材と樹脂モールド体とを一体的に結合してアンテナ装置を製造する工程と、
を備えていることを特徴としている。
【発明の効果】
【００１６】
本発明によれば、集磁力が高く受信感度の良好なアンテナ装置、そのようなアンテナを内蔵した電波受信装置並びにアンテナ装置の製造方法を実現することができる。また、近傍に金属ケースや金属部品が存在しても、渦電流損失が生じにくいアンテナ装置、およびそのようなアンテナを内蔵した電波受信装置並びにアンテナ装置の製造方法を実現することができるという効果がある。
【発明を実施するための最良の形態】
【００１７】
以下、本発明の好適な実施形態を図面に基づいて説明する。なお、以下では、本発明に係る電波受信装置が電波腕時計である場合を例として説明するが、本発明を適用可能な実施形態はこれに限定されるものではない。
【００１８】
［実施形態］
先ず、図１から図３を参照しつつ、本発明に係る電波腕時計の第１の実施形態について説明する。
図１は、本実施形態における電波腕時計１００の正面図であり、図２は、図１の電波腕時計の内部構成を示す分解斜視図である。
電波腕時計１００は、標準電波を受信するアンテナＡを一体に有する時計モジュール１０（図２，図３参照）を内蔵し、このアンテナＡにより標準電波を受信して受信信号を増幅、復調して時刻情報を解読することにより現在時刻を修正する機能を有する。
【００１９】
第１の実施形態における電波腕時計１００は、内部に時計モジュール１０を収納する収納空間２１を有する機器本体としての本体ケース２を備えている。本体ケース２は、ステンレス、真鍮、チタン等の強度の強い金属である導電性材料によって、上下面が開口した平面視ほぼ円環状に形成されている。この本体ケース２の外周部の対向する位置（図１の上と下）にはユーザの腕に装着するためのバンド３a、３aが取り付けられるバンド取り付け部３が設けられている。また、本体ケース２の外周部には、時刻合わせの指示などの種々の操作指示が入力される複数の操作ボタン４が設けられている。
【００２０】
本体ケース２の内側は上下が開口した中空状になっており、この中空部分が各種部品を収納する収納空間を与える収納部２１となる。この本体ケース２の視認側（図２において上側）には、視認側の開口部を閉塞するように非導電性の透明材料であるガラスで形成された非導電性のカバー部材としての風防ガラス５が装着され、この風防ガラス５の下側には文字板６が配置されている。
【００２１】
また、本体ケース２の裏側には、図２に示すように、当該本体ケース２の下側の開口部を閉塞する裏蓋２３が取り付けられている。そして、本体ケース２の内側の収納部２１には、時計ガラス５と文字板６との間に介在するように、指針軸７に取り付けられた時針や分針等の指針８が設けられていて、これら指針８は文字板６よりも内側（図の２下側）に設けられた運針部９により回動されるようになっている。
【００２２】
運針部９には、駆動用のステッピングモータ１６や、このモータ１６の動力を前記指針８に伝達する歯車等の機構部品や回路を構成する電子部品などを樹脂でモールドしてなり、本体ケース２の収納部２１内に配置されている機器モジュールとしての時計モジュール１０と、該時計モジュール１０の裏側及び側方を覆う枠部材２０とが設けられている。本明細書では、樹脂でモールドされたモジュールを樹脂モールド体と称する。
また、本明細書においては、全体として時計機能のような所望の機能を実現するように互いに物理的または電気的に結合された複数の部品がベース部材上あるいはハウジング内に実装されてあたかも一つの機能部品として扱えるように構成されたものをモジュールと称する。
【００２３】
時計モジュール１０は、図３に示すように、駆動用のステッピングモータ１６や、このモータ１６の動力を各指針８に伝達する歯車等の機構部品（ムーブメント）１１の他、アンテナＡに接続され時刻標準電波を受信した信号を処理する受信回路１７、前記モータ１６及び受信回路１７の動作電圧を与える電源装置としての電池１８等を樹脂でモールドして形成されている。時計モジュールの樹脂の部分は、内部の部品を保持するハウジングである。
【００２４】
さらに、時計モジュール１０の外周を周回するように、アモルファス金属等の比透磁率が高く、導電率が小さい磁性体からなる帯状のコア３１が巻回されている。このコア３１の一部（この例では中央部）に当該コア３１と直交する方向にコイル３２が巻回されており、これらコア３１とコイル３２とからアンテナＡが構成されている。
アンテナＡのコイル３２は、共振回路を形成し希望周波数の電波を受信して電気信号に変換できるようになっている。この実施形態では、コア３１は時計モジュール１０を周回方向に沿って同一の幅および同一の厚みを有するように形成されているが、同一の幅および同一の厚みに限定されるものではない。
【００２５】
このように、時計モジュール１０の周囲全体にコア３１を周回し、この周回されたコア３１の一部にコイル３２を巻回してアンテナＡを構成することにより、電波の受信感度を高めることができる。また、本体ケース２の収納部２１内に密着して、アンテナＡを有する時計モジュール１０が内蔵されることで、アンテナ収容部が不要な、スペース効率の良い電波腕時計が実現される。
【００２６】
この実施形態のアンテナＡは、磁性材料からなる複数の板状部材を積層してコア３１を形成している。コア３１を積層構造とすることで、全体を曲げてリング状に形成し易くなる。板状部材としては、アモルファス合金、Fe-Cu-Nb-Si-B系等のナノ結晶磁性合金、Fe-Si系磁性合金等の軟磁性金属箔帯を板厚２０μｍ以下に薄く形成したものを用いることができる。ただし、コアは板状のものに限定されるものでなく、例えばフェライト等により一体形成されていても良いし、パーマロイを材料としてコア３１を形成しても良い。なお、コア３１は完全なリング状に限定されず、コイル巻き線部分の反対側にギャップを有するものであってもよい。
【００２７】
［変形例］
図４は、前記実施形態のアンテナの第１の変形例を示す。この変形例は、コア３１の厚みをコイル３２の巻回部分で最も厚くしてＬ1とし、反対側すなわち周回方向に１８０度離れたところで最も薄くしてＬ２（Ｌ２＜Ｌ１）となるように形成したものである。
このように、コア３１の厚みをコイル３２と反対側で最も薄くしてコイル３２と反対側の磁気抵抗を高くすることにより、コア３１全体に入ってくる電波の磁束が磁気抵抗の小さなコイル３２の巻回側に集まりやすくなってアンテナＡの受信感度を高めることができる。また、コア３１全体をコイル巻回部分の厚みと同一にしたものに比べて、アンテナＡを小型化することができる。
【００２８】
なお、コア３１の厚みをコイル３２の巻回部分で最も厚くし、反対側で最も薄くなるように形成する代わりに、コア３１の幅をコイル３２の巻回部分で最も広く、反対側で最も狭くなるように形成しても良いし、コアの厚みと幅を同時に変化させるようにしても良い。
また、時計モジュール１０のモールド体の形状を本体ケース２の収納部２１の形状に対応させるのではなく、コア３１の厚みを考慮してアンテナＡを装着したモジュール全体が本体ケース２の収納部２１の形状に対応した形状となるように、予め時計モジュール１０のモールド体の形状を決定しておくようにするのが望ましい。これにより、時計モジュール１０と本体ケース２の収納部２１との間に隙間が生じない、つまり無駄なスペースがなくなる。
また、収納部２１の大きさが制限されている場合に、収納部２１目一杯にアンテナが収まるように時計モジュール１０のモールド体を形成しアンテナＡのコア３１を巻回することで、コアの長さを長くしてアンテナの感度を限られたスペース内で最大限に高めることができる。
さらに、コイル３２の巻回部分はそれ以外の部分よりも太くなるので、その分だけ時計モジュール１０のモールド体の外周に凹部を設けて、コイル巻回部分をその凹部に係合させるようにしても良い。これにより、時計モジュール１０と本体ケース２の収納部２１との間に隙間が全く生じないようにすることができる。また、凹部を設けることで、時計モジュール１０に対するアンテナＡの周方向の位置決めが容易に行えるようになる。
【００２９】
図５は、前記実施形態のアンテナの第２の変形例を示す。この変形例は、リング状のコア３１の互いに１８０度離れた位置に、２つのコイル３２ａ、３２ｂを巻回し、この巻回された２つのコイル３２ａ、３２ｂからコンデンサーＣ１，Ｃ２を介して出力された電波出力を、互いにアンプＡ１、Ａ２を通して加算器Ｂにて合成するようにしたものである。このように、１つのコア３１に２つのコイル３２ａ、３２ｂを設けるようにすれば、１つのコア３１に１つのコイル３２ａを設けるようにした場合よりも電波の受信感度を約２倍に高めることができる。
【００３０】
また、コイル３２ａ、３２ｂの巻き線数すなわちインダクタンスを互いに変えて、別々の周波数の電波を受信できるように回路を構成することで、異なる周波数（例えば４０ｋＨｚと６０ｋＨｚ）の標準電波を感度良く受信できるように構成しても良い。この変形例の場合、コア３１のコイル３２ａと３２ｂの中間部分（９０度離れた位置）の断面積が最も小さくなるようにコアを形成しても良い。
【００３１】
図６は、前記実施形態のアンテナの第３の変形例を示す。この変形例は、リング状のコア３１の、互いに９０度離れた位置に、巻き数が同一で向きの異なる２つのコイル３２ａ、３２ｂを巻回し、図５に示す場合と同様に、この巻回された２つのコイル３２ａ、３２ｂからコンデンサーＣ１，Ｃ２を介して出力された電波出力を、互いにアンプＡ１、Ａ２を通して加算器Ｂにて合成するようにしたものである。このように、１つのコア３１に、巻き数同一で向きの異なる２つのコイル３２ａ、３２ｂを設け、図５に示す場合と同様な受信感度の高い方のコイル３２ａ、３２ｂを選択するように回路を構成することにより、アンテナの指向性をなくすことができるようになる。
【００３２】
図７（Ａ）および（Ｂ）は、前記実施形態のアンテナの第４の変形例を示す。この変形例は、時計モジュール１０の樹脂モールドの一部、コイル３２の両端から外方向に延びるコア３１の両端内側位置に、例えば直径約２μｍ程度の微小な磁性体が混入された領域Ａ１，Ａ２を設けたものである。このように、リング状のコイル３２の内側の時計モジュール１０内に磁性体を混入した領域Ａ１，Ａ２を設けることにより、磁性体を混入した領域がないものよりもコア３１による集磁効果を高めることができる。
【００３３】
なお、磁性体混入領域Ａ１，Ａ２には、時計モジュールを構成する部品をインサートすることも可能であるが、Ａ１，Ａ２には時計部品をインサートしないようにするのが望ましい。その場合、時計部品は磁性体を混入しない領域（領域Ａ１とＡ２に挟まれた部位）にインサートする。図７の構成は、磁性体が混入された複雑な形状のモールドを作りにくい場合や、時計モジュール１０内の一部の部品の容積が大きく、磁性体を混入したとしても感度があまり向上せず、モジュール全体を磁性体を混入した樹脂モールドにすると局所的に強度が不足して好ましくない場合、時計モジュール１０の樹脂モールド内に周囲に磁性体が存在するのが望ましくない部品がある場合などに適用するとよい。
【００３４】
図８（Ａ）〜（Ｃ）は、前記実施形態のアンテナの第５の変形例を示す。この変形例は、磁性体で形成された帯状コア３１のコイル巻回部分の両側に結合され、コア３１と直交する方向に折曲されて、時計モジュール１０の樹脂モールドの表面と裏面にそれぞれ接合される羽状のシート部３１ａ，３１ｂを設けたものである。
本変形例においては、樹脂モールドには磁性体が混入されていないことによる集磁力の低下を、樹脂モールドの表裏に接合される羽状のシート部３１ａ，３１ｂで補うことができ、これによって樹脂モールドに磁性体が混入されている前記実施例のアンテナＡとほぼ同等な受信感度を得ることができる。
【００３５】
羽状のシート部３１ａ，３１ｂは、帯状のコア３１と別に形成して組み付け時にコア３１と接合させるようにしても良いが、図８（Ａ）のようにシート部３１ａ，３１ｂをコア３１と一体のものとして形成することで、製造コストを下げることができる。図８（Ａ）のような形状に形成した場合、コア３１の両端は離れることになる。この場合、コアの長さをモールド周囲長より短くしておいて、コアを時計モジュール１０の外周に周回させたときに、両端が離れるようにしてもよいし、後述のように例えば重なり部分を持たせることで接合された状態になるようにしても良い。
【００３６】
図９（Ａ）および図９（Ｂ）は、前記実施形態のアンテナの第６の変形例を示す。この変形例は、時計モジュール１０の樹脂モールドの一部に磁性体が混入された領域を一体に設ける代わりに、円板状モジュールの一部に貫通孔もしくは切り欠きを設けて、その貫通孔もしくは切り欠きに磁性体が混入された樹脂で形成された補間ピース１９ａ，１９ｂを嵌め込むようにしたものである。なお、補間ピース１９ａ，１９ｂは、コア３１と接していても良いし、接していなくても良い。
【００３７】
図９（Ａ）は補間ピース１９ａ，１９ｂをコア３１と時計モジュール１０との間に挟むようにしたもの、図９（Ｂ）は補間ピース１９ａ，１９ｂをコア３１の外側に生じる凹部に嵌めるようにしたものである。このように、時計モジュールの一部に磁性体が混入された樹脂で形成された補間ピース１９ａ，１９ｂを嵌め込むことにより、磁性体が混入されていない樹脂モールドで時計モジュールを形成したものに比べてアンテナＡの集磁力を高めることができる。
【００３８】
次に、時計モジュール１０の外周に周回されたリング状のコア３１のコイル巻き線部分と反対側が結合されている場合と、離間されている場合のアンテナの作用の違いを、図１０を用いて説明する。
図１０（Ａ）、(Ｂ)、(Ｃ）はそれぞれモジュール１０の回りに配置されたアンテナコア３１の形状を示したものであり、図１０（Ａ）はモジュール１０の回りほぼ半周にわたって周回されたコア３１を設けたもの、図１０（Ｂ）はモジュール１０に周回されたコア３１の一部にギャップｇがあるもの、図１０（Ｃ）はモジュール１０の回り全体周回するリング状のコア３１を設けたものである。
なお、モジュール１０の内部には時計機能に必要な一連の機構部品や電子部品等が配置されているが、図１０ではそれらの図示を省略している。
【００３９】
図１０（Ａ）のようにコア３１が構成されている場合、モジュール１０を通過する受信電波の磁界ａ−１のうちコア３１から離れている磁界（ａ1，ａ2）はコア３１を通過しないでそのままモジュール１０内を通り過ぎ、受信に影響を及ぼさない。また、アンテナＡの近くあるいはアンテナＡを通過する磁界（ａ3〜ａ6）は磁性体であるコア３１により磁気経路が引き寄せられる形でアンテナＡに入っていく。これは、図１０(Ｂ)、(Ｃ）においても同様である。
一方、アンテナＡを通過する磁束により、共振回路となるコイル３２に起電力が発生し、この起電力で、図１０（A）では磁界ａ−２、図１０（B）では磁界ｂ−２のように、互いに反対方向の磁界が発生することになる。図１０（C）においては、磁性体からなるコア３１がリング状であるため、このリング内を通った方が磁気抵抗は低く、外部には余り磁界が漏れないことになる。
【００４０】
このため、図１０（Ａ）では磁界ａ−２の通過個所に金属などの部品が置かれると渦電流を生じ、ロスが大きくなる。図１０（Ｂ）も同様であるが、モジュール１０内部には磁界がほとんど通過しないので、モジュール１０の内部の部品にはあまり渦電流が流れない。従って、例えばモジュール１０の周囲に金属ケースを配置したときなどには、その金属ケースに渦電流が流れ、ロスが生じ易い。図１０（Ｃ）の場合には、図１０（Ａ）や図１０（Ｂ）に比べて磁気の漏れが少なく、周辺の影響を受けにくくなることから、Qの高い感度の良好なアンテナが実現可能となる。
なお、図１０（Ｃ）のようなアンテナ構造の場合、コイル３２側のコア磁性体を通過する磁束は、共振状態では磁束を妨げる作用が等価的に大きくなるため、リング状のコア３１全体が同じ磁気抵抗であると、ロスが大きくなる。従って、コア３１は、図４のように、コイル３１の巻回部分と反対側ほど磁路を薄くあるいは狭くしたり、磁性材料の磁気抵抗を調節するなどして磁気的にロスを減らす工夫を行うのが望ましい。
【００４１】
次に、上記実施形態および変形例において、コア全体がギャップを有しない状態に形成されるアンテナ装置の製造方法の具体例を、図１１を用いて説明する。
図１１（Ａ）〜図１１（Ｃ）のうち、図１１（Ａ）は、アンテナコア３１を時計モジュール１０の周囲長さよりも長く形成しておいて、そのアンテナコア３１をモジュール１０に周回させたときに重なり部分が生じるようにしたものである。アンテナコア３１は、シート状の磁性体を積層して全体として帯状をなすように形成する。それから、図３（Ａ）に示すように、アンテナコア３１の一部に当該アンテナコア３１と直交する方向にコイル３２を巻回する。
次に、コイル３２が巻回されたアンテナコア３１を、樹脂モールド体からなる時計モジュール１０の外周に沿って周回させる。重なった部分は、接着剤あるいは接着テープ等により接着しても良いし、そのまま時計モジュール１０の外周とアンテナコア３１の内周とが軽く接している状態にしておいてもよい。
【００４２】
図１１（Ｂ）は、アンテナコア３１を時計モジュール１０の周囲長さよりも短く形成しておいて、アンテナコア３１をモジュール１０の外周に周回させたときにギャップｇが生じるようにし、そのギャップｇの部分に別の磁性シート３３を張り合わせて当該別の磁性シート３３に、アンテナコア３１に生じた磁束の副磁路が形成されるようにしたものである。
図１１（Ｃ）は、図１１（Ｂ）のように別な磁性シート３３を貼り付ける代わりに、アンテナコア３１のギャップｇの部分に磁性剤を含む塗料を塗布してその塗布部分に磁性膜３４を形成することで、磁性膜３４に、アンテナコア３１に生じた磁束の副磁路が形成されるようにしたものである。本具体例のような方法に従うと、周囲にコア３１が周回され、一部にコイル３２が巻回されてなるアンテナＡを有するモジュール１０を効率的に製造することができ、製造コストを低減することができる。
【００４３】
以上本発明者によってなされた発明を実施形態に基づき具体的に説明したが、本発明は上記実施形態に限定されるものではなく、種々変更可能である。例えば、前記実施形態では、コア３１は、複数の板状部材を積層して形成されていると説明したが、１枚の薄い磁性シートをつづら折りして積層状態にしたもの、渦巻き状に巻いた磁性部材を潰して帯状にしたもの、あるいは線状の磁性部材を束ねて形成したもの等をコアとして用いるようにしても良い。
【００４４】
また、前記実施形態では、本体ケース２の収納空間の開口の形状および時計モジュール１０の形状がほぼ円形であるものを示したが、円形のものに限定されず、楕円あるいは多角形等であるものにも適用することができる。
【産業上の利用可能性】
【００４５】
以上の説明では、本発明を電波腕時計に適用した例を示したが、これに限定されるものではなく、内蔵アンテナを有し外部からの電波を受信して情報を得る構成の電波受信装置であれば如何なるものであってもよい。例えば、据え置き型など固定式の電波時計であってもよいし、小型ラジオ、携帯端末等であってもよい。
【図面の簡単な説明】
【００４６】
【図１】本発明を適用して好適な電波受信装置の一例としての電波腕時計の一実施形態を示す正面図である。
【図２】図１の電波腕時計の内部構成を示す分解斜視図である。
【図３】（Ａ）は本発明の一実施形態におけるアンテナ装置を構成しているアンテナ機能付き時計モジュールを示す斜視図、（Ｂ）はアンテナ装置の内部構造の一例を示す断面図である。
【図４】アンテナ装置の第１変形例を示す平面図である。
【図５】アンテナ装置の第２変形例を示す平面図である。
【図６】アンテナ装置の第３変形例を示す平面図である。
【図７】アンテナ装置の第４変形例を示すもので、（Ａ）は斜視図、（Ｂ）は平面図である。
【図８】アンテナ装置の第５変形例を示すもので、（Ａ）はコアおよび磁性シートを展開した状態を示す平面図、（Ｂ）はコアおよび磁性シートを時計モジュールに装着した場合の断面図、（Ｃ）は（Ｂ）の時計モジュールを側方斜め上方より見た斜視図である。
【図９】（Ａ）、（Ｂ）はそれぞれアンテナ装置の第６変形例を示す平面図である。
【図１０】（Ａ）〜（Ｃ）はそれぞれコアが半円状である場合、ギャップを有する場合、リング状である場合のコア周辺の磁力線の様子を示す説明図である。
【図１１】（Ａ）〜（Ｃ）は本発明に係るアンテナ装置のコアをリング状に形成する場合の製造方法の具体例を示す説明図である。
【符号の説明】
【００４７】
２      本体ケース（機器本体）
５      風防ガラス
７      指針軸
１０    時計モジュール（樹脂モールド体）
１１    機構部品（ムーブメント）
１６    モータ
１７    受信回路
１８    電池
１９ａ，１９ｂ    補間ピース
２１    収納部（収納空間）
２３    裏蓋
３１    コア
３２    コイル
３３    磁性シート
３４    磁性膜
１００  電波腕時計
【図１】
2009296296.tif 000003
【図２】
2009296296.tif 000004
【図３】
2009296296.tif 000005
【図４】
2009296296.tif 000006
【図５】
2009296296.tif 000007
【図６】
2009296296.tif 000008
【図７】
2009296296.tif 000009
【図８】
2009296296.tif 000010
【図９】
2009296296.tif 000011
【図１０】
2009296296.tif 000012
【図１１】
2009296296.tif 000013